【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
始動条件の成立にもとづいて各々を識別可能な複数種類の識別情報を可変表示可能な複数の可変表示部を有する可変表示装置を備え、全ての前記可変表示部において可変表示が終了して識別情報が停止したときに、特定の識別情報の組み合せが停止したことにもとづいて遊技者にとって有利な特定遊技状態に移行させる遊技機であって、
前記特定遊技状態に移行させるか否かを識別情報を停止させる以前に決定する事前決定手段と、
前記事前決定手段の決定にもとづいて、前記可変表示装置における識別情報の可変表示パターンを決定する可変表示パターン決定手段と、
前記可変表示パターン決定手段が決定した可変表示パターンにもとづいて、前記可変表示装置の識別情報を可変表示させ、その後停止させる表示制御手段と、を備え、
前記表示制御手段は、
前記可変表示パターン決定手段が決定した複数回可変表示パターンにもとづいて、前記識別情報の可変表示を開始させてから全ての可変表示部の識別情報を仮停止させた後、前記全ての可変表示部の識別情報の可変表示を再開させる全再可変表示態様を１回または複数回行う複数回可変表示実行手段と、
前記識別情報の可変表示中であって、前記全ての識別情報が仮停止する前に、前記全再可変表示態様が行われるか否かを予告する全再可変表示継続予告手段と、を含む
ことを特徴とする遊技機。
【請求項２】
前記全再可変表示継続予告手段は、第１全再可変表示継続予告手段と、該第１全再可変表示継続予告手段による予告が行われた場合よりも前記全再可変表示態様が実施される割合の高いことを予告する第２全再可変表示継続予告手段と、を含むことを特徴とする請求項１に記載の遊技機。
【請求項３】
前記表示制御手段は、前記複数回可変表示実行手段により前記全再可変表示態様を１回または複数回行わせた後、前記可変表示部のうち最後に識別情報が仮停止する最終仮停止可変表示部を除く可変表示部の識別情報を仮停止させた時点でリーチ状態を形成することを特徴とする請求項１または２に記載の遊技機。
【請求項４】
前記事前決定手段において前記特定遊技状態に移行させないと決定したときに、リーチ状態とするか否かを決定するリーチ状態判定手段と、
前記事前決定手段において前記特定遊技状態に移行させないと決定され、かつ前記リーチ状態判定手段においてリーチ状態とすることが決定された場合に、リーチ状態とした後に停止される識別情報である最終停止識別情報と、該最終停止識別情報以外の識別情報と、の差分を決定するための差分決定テーブルにもとづいて該最終停止識別情報を決定する識別情報決定手段と、
をさらに備えることを特徴とする請求項１、２または３に記載の遊技機。
【請求項５】
前記差分決定テーブルは、少なくとも第１差分決定テーブルと、該第１差分決定テーブルよりも小さい差分が選択される割合が高い第２差分決定テーブルと、を含み、
前記識別情報決定手段は、前記複数回可変表示パターンにて発生するリーチ状態においては前記第２差分決定用テーブルにもとづいて前記最終停止識別情報を決定する
ことを特徴とする請求項４に記載の遊技機。
【手続補正２】
【補正対象書類名】明細書
【補正対象項目名】００１０
【補正方法】変更
【補正の内容】
【００１０】
本発明による遊技機は、始動条件の成立（例えば、始動入賞口１４に入賞すること）にもとづいて各々を識別可能な複数種類の識別情報（例えば左・中・右の飾り図柄）を可変表示可能な複数の可変表示部（例えば、左・中・右の表示領域）を有する可変表示装置（例えば可変表示装置９）を備え、全ての可変表示部において可変表示が終了して識別情報が停止したときに、特定の識別情報の組み合せ（例えば大当り図柄）が停止したことにもとづいて遊技者にとって有利な特定遊技状態（例えば大当り遊技状態）に移行させる遊技機（例えばパチンコ遊技機１）であって、特定遊技状態に移行させるか否かを識別情報を停止させる以前に決定する事前決定手段（例えば、遊技制御用マイクロコンピュータ５６０におけるステップＳ５７〜Ｓ５９を実行する部分）と、事前決定手段の決定にもとづいて、可変表示装置における識別情報の可変表示パターンを決定する可変表示パターン決定手段（例えば、遊技制御用マイクロコンピュータ５６０におけるステップＳ２０１〜Ｓ２０７を実行する部分）と、可変表示パターン決定手段が決定した可変表示パターンにもとづいて、可変表示装置の識別情報を可変表示させ、その後停止させる表示制御手段（例えば、演出制御用マイクロコンピュータ１００）と、を備え、表示制御手段は、可変表示パターン決定手段が決定した複数回可変表示パターンにもとづいて、識別情報の可変表示を開始させてから全ての可変表示部の識別情報を仮停止させた後、全ての可変表示部の識別情報の可変表示を再開させる全再可変表示態様（例えば擬似連続変動）を１回または複数回行う複数回可変表示実行手段（例えば、演出制御用マイクロコンピュータ１００におけるステップＳ１２０４〜Ｓ１２２３の処理を実行する部分）と、識別情報の可変表示中であって、全ての識別情報が仮停止する前に、全再可変表示態様が行われるか否かを予告する全再可変表示継続予告手段（例えば、演出制御用マイクロコンピュータ１００におけるステップＳ１２２４〜Ｓ１２３１の処理を実行する部分）と、を含むことを特徴とする。
【手続補正３】
【補正対象書類名】明細書
【補正対象項目名】００１１
【補正方法】変更
【補正の内容】
【００１１】
また、全再可変表示継続予告手段は、第１全再可変表示継続予告手段（例えば、演出制御用マイクロコンピュータ１００が第１擬似連続予告演出図柄により擬似連続予告演出を実施する部分）と、該第１全再可変表示継続予告手段による予告が行われた場合よりも全再可変表示態様が実施される割合の高いことを予告する第２全再可変表示継続予告手段（例えば、演出制御用マイクロコンピュータ１００が、第２擬似連続予告演出図柄により擬似連続予告演出を実施する部分）と、を含むように構成されてもよい。
【手続補正４】
【補正対象書類名】明細書
【補正対象項目名】００１２
【補正方法】変更
【補正の内容】
【００１２】
表示制御手段は、複数回可変表示実行手段により全再可変表示態様を１回または複数回行わせた後、可変表示部のうち最後に識別情報が仮停止する最終仮停止可変表示部を除く可変表示部の識別情報を仮停止させた時点でリーチ状態を形成する（例えば、図１０６（Ｈ）や図１０７（Ｉ）でリーチ状態とする）ように構成されてもよい。
【手続補正５】
【補正対象書類名】明細書
【補正対象項目名】００１３
【補正方法】変更
【補正の内容】
【００１３】
事前決定手段において特定遊技状態に移行させないと決定したとき（例えば、遊技制御用マイクロコンピュータ５６０におけるステップＳ５９のＮのとき）に、リーチ状態とするか否かを決定するリーチ状態判定手段（例えば、遊技制御用マイクロコンピュータ５６０におけるステップＳ６４、Ｓ６５を実行する部分）と、事前決定手段において特定遊技状態に移行させないと決定され（例えば、遊技制御用マイクロコンピュータ５６０におけるステップＳ５９のＮのとき）、かつリーチ状態判定手段においてリーチ状態とすることが決定された場合（例えば、遊技制御用マイクロコンピュータ５６０におけるステップＳ６５にてリーチを伴う変動パターンに決定された場合）に、リーチ状態とした後に停止される識別情報である最終停止識別情報と、該最終停止識別情報以外の識別情報と、の差分を決定するための差分決定テーブル（例えば、ノーマルはずれ時中図柄選択用テーブル（Ｈ−４）やスーパー発展時中図柄選択用テーブル（Ｈ−５））にもとづいて該最終停止識別情報を決定する識別情報決定手段（例えば、演出制御用マイクロコンピュータ１００におけるステップＳ１０３１、Ｓ１０３６を実行する部分）と、をさらに備えるように構成されてもよい。
【手続補正６】
【補正対象書類名】明細書
【補正対象項目名】００１４
【補正方法】変更
【補正の内容】
【００１４】
差分決定テーブルは、少なくとも第１差分決定テーブル（例えば、ノーマルはずれ時中図柄選択用テーブル（Ｈ−４））と、該第１差分決定テーブルよりも小さい差分が選択される割合が高い第２差分決定テーブル（スーパー発展時中図柄選択用テーブル（Ｈ−５））と、を含み、識別情報決定手段は、複数回可変表示パターンにて発生するリーチ状態においては第２差分決定用テーブルにもとづいて最終停止識別情報を決定する（例えば、演出制御用マイクロコンピュータ１００におけるステップＳ１０３６を実行する部分）ように構成されてもよい。
【手続補正７】
【補正対象書類名】明細書
【補正対象項目名】００１５
【補正方法】変更
【補正の内容】
【００１５】
請求項１記載の発明では、表示制御手段は、識別情報の可変表示を開始させてから全ての可変表示部の識別情報を仮停止させた後、全ての可変表示部の識別情報の可変表示を再開させる全再可変表示態様を１回または複数回行う複数回可変表示実行手段と、識別情報の可変表示中であって、全ての識別情報が仮停止する前に、全再可変表示態様が行われるか否かを予告する全再可変表示継続予告手段と、を含む。このように、識別情報の可変表示中に再可変表示継続の予告がなされることで、遊技者は再可変表示が継続されることを認識でき、興趣の向上が図れる。
【手続補正８】
【補正対象書類名】明細書
【補正対象項目名】００１６
【補正方法】変更
【補正の内容】
【００１６】
請求項２記載の発明では、全再可変表示継続予告手段は、第１全再可変表示継続予告手段と、該第１全再可変表示継続予告手段による予告が行われた場合よりも全再可変表示態様が実施される割合の高いことを予告する第２全可変表示継続予告手段と、を含む。このように、複数の再可変表示継続予告手段を備えることで、興趣の向上が図れる。
【手続補正９】
【補正対象書類名】明細書
【補正対象項目名】００１７
【補正方法】変更
【補正の内容】
【００１７】
請求項３記載の発明では、表示制御手段は、複数回可変表示実行手段により全再可変表示態様を１回または複数回行わせた後、可変表示部のうち最後に識別情報が仮停止する最終仮停止可変表示部を除く可変表示部の識別情報を仮停止させた時点でリーチ状態を形成する。これにより、複数回可変表示パターンにおいてリーチ状態とした後に最終停止するので、より一層興趣の向上が図れる。
【手続補正１０】
【補正対象書類名】明細書
【補正対象項目名】００１８
【補正方法】変更
【補正の内容】
【００１８】
請求項４記載の発明では、事前決定手段において特定遊技状態に移行させないと決定したときに、リーチ状態とするか否かを決定するリーチ状態判定手段と、事前決定手段において特定遊技状態に移行させないと決定され、かつリーチ状態判定手段においてリーチ状態とすることが決定された場合に、リーチ状態とした後に停止される識別情報である最終停止識別情報と、該最終停止識別情報以外の識別情報と、の差分を決定するための差分決定テーブルにもとづいて該最終停止識別情報を決定する識別情報決定手段と、をさらに備える。これにより、差分決定テーブルの設定値に応じて、特定の識別情報の組み合せ（大当り図柄）に近い表示結果となる割合を高くしたり、大当り図柄には遠い表示結果となる割合を高くしたりすることができ、遊技性を豊富にすることができる。
【手続補正１１】
【補正対象書類名】明細書
【補正対象項目名】００１９
【補正方法】変更
【補正の内容】
【００１９】
請求項５記載の発明では、差分決定テーブルは、少なくとも第１差分決定テーブルと、該第１差分決定テーブルよりも小さい差分が選択される割合が高い第２差分決定テーブルと、を含み、識別情報決定手段は、複数回可変表示パターンにて発生するリーチ状態においては第２差分決定用テーブルにもとづいて最終停止識別情報を決定する。これにより、複数回可変表示パターンにて発生するリーチ状態では、大当り（特定遊技状態）とならない場合であっても、大当り図柄（特定の識別情報の組み合せ）に近い（差分が小さい）識別情報が選択さる割合を高めることができ、複数回可変表示パターンに対する遊技者の期待感をより高めることができる。